(57)【要約】【課題】ベルトコンベアにおいて下り坂になったり又は濡れた環境であっても、リブつき搬送面にそって被搬送物がすべらないようにする。【解決手段】立ち上がっている複数のリブをもつ複数のモジュールから構成され、これらリブの各々は、長方形になっているリブの基部の上部にギザギザになっている畝部構造の形状になっているモジュラーコンベヤベルト。一連のリブは、前記モジュールの上面において横方向に間隔をおいている。また横方向に並んでいる複数のリブの間の長くなっているスロットにより搬送プレートのフィンガーがはいりこむようになって、前記ベルトに沿って品物を円滑に搬送し、排出するようになっている。ギザギザになったリブの構造としては、複数の歯が並んでいるもの、切頭ピラミッド形状のもの又は円錐形のもの、コルゲート構造のもの及び波形ビードのものが含まれていて、これらの上で品物が支持され、湿った状況下にあってもほとんど滑らないようになっている。【選択図】図１
2006111449.tif 000002
【特許請求の範囲】
【請求項１】
以下の構成からなるコンベヤモジュールベルト：
モジュラー本体であって、長さ方向においては第１の端部から第２の端部にわたり、横方向においては、第１の側縁から第２の側縁にわたり、厚さ方向においては、上面から底面にわたるもので、
上記モジューラー本体は、以下の構成を備えているもの：
前記第１の端部にそって横方向に間隔をおいて配置の第１のセットのヒンジアイ；
前記第２の端部にそって横方向に間隔をおいて配置の第２のセットのヒンジアイ；
上面における平らな面；
中実の長方形の基部と、前記平らな面か突き出ていて、搬送する品物を支持する前記基部の上部にあるギザギザの上部畝部構造を含む複数の横方向に間隔をおいている長方形の複数のリブ。
【請求項２】
前記ギザギザの上部畝部構造は、切頭形の矩形のピラミッド形状のものが長くなった列を備えている請求項１におけるコンベヤベルトモジュール。
【請求項３】
前記ギザギザの上部畝部構造は、切頭形円錐形形状のものが長くなった列を備えている請求項１におけるコンベヤベルトモジュール。
【請求項４】
前記ギザギザの上部畝部構造は、複数の歯が並んだものが長くなった列を備えている請求項１におけるコンベヤベルトモジュール。
【請求項５】
各リブの前記ギザギザの上部畝部構造は、長くなっている溝により横方向に隔てられている複数の歯の列を２列を備えている請求項４におけるコンベヤベルトモジュール。
【請求項６】
前記ギザギザの上部畝部構造は、頂部と谷部とが交互になっている長くなった列を備えている請求項１におけるコンベヤベルトモジュール。
【請求項７】
前記リブの長さ方向に傾斜の軸にそって前記頂部と谷部とが交互になっている請求項６におけるコンベヤベルトモジュール。
【請求項８】
前記ギザギザの上部畝部構造は、コルゲーションが長くなった列を備えている請求項１におけるコンベヤベルトモジュール。
【請求項９】
前記ギザギザの上部畝部構造は、前記基部から波形ビードが立ち上がっている構造を備えている請求項１におけるコンベヤベルトモジュール。
【請求項１０】
請求項１における複数のコンベヤベルトモジュールお備え、これらは、互いに側部から側部、端部から端部がつながって、ベルトモジュールの連続の列の整列したヒンジアイに形成の横通路で受けられるヒンジロッドにより連結されるベルトモジュールの一連の列になっているモジュラーコンベヤベルト。
【請求項１１】
以下の構成を備えるコンベヤベルトモジュール：
モジュラー本体であって、長さ方向においては第１の端部から第２の端部にわたり、横方向においては、第１の側縁から第２の側縁にわたり、厚さ方向においては、上面から底面にわたるもので、
上記モジューラー本体は、以下の構成を備えているもの：
前記第１の端部にそって横方向に間隔をおいて配置の第１のセットのヒンジアイ；
前記第２の端部にそって横方向に間隔をおいて配置の第２のセットのヒンジアイ；
上面における平らな面；
前記平らな面か突き出ている複数の切頭形矩形のピラミッド形状の複数の長方形の列、
ここにおいて、各列は、他方の列から横方向に離れていて、連続する列の間に長くなっているスロットを形成しているもの。
【請求項１２】
前記スロットの横方向寸法は、少なくとも前記ピラミッド形状のものの横方向寸法と同じである請求項１１におけるコンベヤベルトモジュール。
【請求項１３】
前記第１と第２のセットにおけるヒンジアイの合計の数は、長さ方向の数と同じである請求項１１におけるコンベヤベルトモジュール。
【請求項１４】
前記ヒンジアイは、前記平らな面と面一な上部をもち、各列におけるピラミッド形状のものの一つは、ヒンジアイの上部から突き出ている請求項１１におけるコンベヤベルトモジュール。
【請求項１５】
各切頭形矩形のピラミッド形状のものは、矩形の基部と矩形の上面をもつ請求項１１におけるコンベヤベルトモジュール。
【請求項１６】
前記各ピラミッド形状のもの矩形の上面は、前記矩形の基部よりも小さな領域になっている請求項１１におけるコンベヤベルトモジュール。
【請求項１７】
各列における切頭形矩形のピラミッド形状のものは、連続するピラミッド形状のものの間に長さ方向に間隔をおいて刻み目を構成する請求項１１におけるコンベヤベルトモジュール。
【請求項１８】
前記複数の刻み目の長さ方向の寸法は、連続する列の間のスロットの横方向寸法よりも短い請求項１７におけるコンベヤベルトモジュール。
【請求項１９】
前記刻み目は、Ｖ形状である請求項１７におけるコンベヤベルトモジュール。
【請求項２０】
一つの列の複数の刻み目の少なくともいくつかのものは、他の列の刻み目と横方向にほぼ整合し、前記モジュール本体の第１の側縁から第２の側縁にかけて整合した刻み目が素通しで見えるようになっている請求項１７におけるコンベヤベルトモジュール。
【請求項２１】
請求項１１におけるような複数のコンベヤベルトモジュールは、側部と側部、端部と端部とが互いに連結され、ベルトモジュールの連続の列の整合したヒンジアイで作られた横方向の通路で受けられるヒンジロッドにより相互に連結された連続した列のベルトモジュールになるモジュールコンベヤベルト。
【請求項２２】
以下の構成を備えるコンベヤベルトモジュール：
モジュラー本体であって、長さ方向においては第１の端部から第２の端部にわたり、横方向においては、第１の側縁から第２の側縁にわたり、厚さ方向においては、上面から底面にわたるもので、
上記モジューラー本体は、以下の構成を備えているもの：
前記第１の端部にそって横方向に間隔をおいて配置の第１のセットのヒンジアイ；
前記第２の端部にそって横方向に間隔をおいて配置の第２のセットのヒンジアイ；
上面における平らな面；
複数の横方向に間隔をおいた長さ方向の複数のリブが平らな面から突き出ていて、横方向に間隔をおいた第１と第２の側壁を有する前記リブ；ここにおいて、各リブは、長さ方向に間隔をおいた刻み目が前記第１の側壁から第２の側壁へ前記リブを介して達していることを特徴とする。
【請求項２３】
長さ方向の溝が前記第１の側壁と第２の側壁の間に前記リブの長さにわたっている請求項２２におけるコンベヤベルトモジュール。
【請求項２４】
前記第１と第２のセットにおけるヒンジアイの合計の数は、同じである請求項２２におけるコンベヤベルトモジュール。
【請求項２５】
前記ヒンジアイは、前記平らな面と面一な上部をもち、各リブは、ヒンジアイの上部から突き出ている請求項２２におけるコンベヤベルトモジュール。
【請求項２６】
各リブは、前記複数の刻み目で分けられた複数の歯を構成する請求項２２におけるコンベヤベルトモジュール。
【請求項２７】
各歯は、切頭形矩形のピラミッド形状のものを形成する請求項２６におけるコンベヤベルトモジュール。
【請求項２８】
前記形状の刻み目は、Ｖ形状である請求項２２におけるコンベヤベルトモジュール。
【請求項２９】
前記Ｖ形状の刻み目の頂点は、前記モジュール本体の上部における平らな面の僅か上にある請求項２８におけるコンベヤベルトモジュール。
【請求項３０】
一つのリブの刻み目の少なくともいくつかのものは、他のリブの刻み目と横方向にほぼ整合し、前記モジュール本体の第１の側縁から第２の側縁にかけて整合した刻み目が横方向に素通しで見えるようになっている請求項２２におけるコンベヤベルトモジュール。
【請求項３１】
請求項２２におけるような複数のコンベヤベルトモジュールは、側部と側部、端部と端部とが互いに連結され、ベルトモジュールの連続の列の整合したヒンジアイで作られた横方向の通路で受けられるヒンジロッドにより相互に連結された連続した列のベルトモジュールになるモジュールコンベヤベルト。
【請求項３２】
以下の構成を備えるコンベヤベルトモジュール：
モジュラー本体であって、長さ方向においては第１の端部から第２の端部にわたり、横方向においては、第１の側縁から第２の側縁にわたり、厚さ方向においては、上面から底面にわたるもので、
上記モジューラー本体は、以下の構成を備えているもの：
前記第１の端部にそって横方向に間隔をおいて配置の第１のセットのヒンジアイ；
前記第２の端部にそって横方向に間隔をおいて配置の第２のセットのヒンジアイ；
前記平らな面において突き出ている複数の長さ方向の歯の列に達している前記上部における複数の歯；
ここにおいて、各歯は、連続した歯と共に一つの列に歯を構成し、この歯は、長さ方向に連続しているもの。
【請求項３３】
前記第１と第２のセットにおけるヒンジアイの合計の数は、前記歯の長さ方向の数と同じである請求項１１におけるコンベヤベルトモジュール。
【請求項３４】
前記モジュールの上面における平らな面を備え、前記ヒンジアイは、前記平らな面と面一な上部をもち、各列における歯の一つは、ヒンジアイの上部から突き出ている請求項３２におけるコンベヤベルトモジュール。
【請求項３５】
各歯は、矩形のピラミッド形状である請求項３２におけるコンベヤベルトモジュール。
【請求項３６】
各歯は、底部における矩形の基部及び平らな上面を含む請求項３２におけるコンベヤベルトモジュール。
【請求項３７】
前記上面の領域は、前記矩形の基部の領域よりも小さい請求項３６におけるコンベヤベルトモジュール。
【請求項３８】
各歯は，底部に基部を、そして対向する上面を有し、前記基部と上面との間に一対の対向する側壁が互いに横方向に間隔をもち前壁と対向の後壁が互いに長さ方向に間隔をおいて設けられている請求項３２におけるコンベヤベルトモジュール。
【請求項３９】
前記側壁、前壁及び後壁のそれぞれが基部から離れている対向の壁にむけ傾斜している請求項３２におけるコンベヤベルトモジュール。
【請求項４０】
歯の連続した複数の列が前記モジュールの上部で長いスロットで隔てられている請求項３２におけるコンベヤベルトモジュール。
【請求項４１】
前記刻み目の長さ方向寸法が連続の列の間のスロットの横寸法よりも短い請求項４０におけるコンベヤベルトモジュール。
【請求項４２】
前記刻み目がＶ形状である請求項３２におけるコンベヤベルトモジュール。
【請求項４３】
一つの列の複数の刻み目の少なくともいくつかのものは、他の列の刻み目と横方向にほぼ整合し、前記モジュール本体の第１の側縁から第２の側縁にかけて整合した刻み目が素通しで見えるようになっている請求項３２におけるコンベヤベルトモジュール。
【請求項４４】
請求項３２におけるような複数のコンベヤベルトモジュールは、側部と側部、端部と端部とが互いに連結され、ベルトモジュールの連続の列の整合したヒンジアイで作られた横方向の通路で受けられるヒンジロッドにより相互に連結された連続した列のベルトモジュールになるモジュールコンベヤベルト。
【発明の詳細な説明】
【技術分野】
【０００１】
この発明は、動力駆動コンベヤ類、特には、上面にすべり止めをもつモジュラー・プラスチック・コンベヤベルトに関するものである。
【背景技術】
【０００２】
隆起した複数のリブをもつモジュラー・プラスチック・コンベヤベルトは、フィンガー搬送プレート又は櫛歯と共に使用されて品物や通行人をコンベヤベルトの終点で安全におろすようになっている。この搬送プレートの複数のフィンガーは、コンベヤベルトの搬送面に形成されて立ち上がっている縦リブの間のスロット内へ達するようになっている。この複数のリブが搬送される品物類を支持し、前記フィンガー類により前記ベルトの搬送路終点で品物類を送り出す。前記複数のフィンガー類は、前記ベルトの終端部と歯のない搬送プレートとの間にある間隙を部分的に塞ぎ、前記ベルトの駆動機構に汚染物が落下するのを防ぐようになっている。しかしながら、前記リブのフラットな表面は、摩擦抵抗が高い面にはなっていない。このため、在来の複数のリブが隆起したベルトは、リブつき搬送面にそって秘搬送物がすべってしまうような傾斜した状態又は濡れた状態で使われることは、滅多に無い。
したがって、傾斜したり、下り坂になったり又は濡れた環境でもすべらない面をもつコンベヤベルトの必要性がある。
【発明の開示】
【発明が解決しようとする課題】
【０００３】
隆起した複数のリブをもつモジュラー・プラスチック・コンベヤベルトにおいて、下り坂になったり又は濡れた環境であっても、リブつき搬送面にそって被搬送物がすべらないようにする。
【課題を解決するための手段】
【０００４】
この必要性及び他の必要性は、この発明の特徴を組み込んだ複数のモジュールから構成されたモジュラー・コンベヤベルトによって充足される。この発明の第１の実施例においては、モジュールは、モジュール本体を備え、この本体は、第１の端部から第２の端部にかけて長さ方向にのび、第１の側部から第２の側部にかけて横方向にのび、上面から底面にかけ厚さをもっている。前記モジュール本体は、第１の端部にそって横方向に間隔をおいて並んでいる第１の一組みのヒンジアイと第２の端部にそっている第２の一組みのヒンジアイとを有している。複数の切頭形の矩形のピラミッド体が長さ方向に並んでいて、前記モジュール本体の上面の平らな面から突き出ている。ピラミッド体の各列は、互いに横方向に間隔をあけていて、連続した列の間に長さ方向の溝ができるようになっている。
【０００５】
この発明の他の実施例では、コンベヤベルトモジュールは、モジュール本体を備え、この本体は、第１の端部から第２の端部にかけて長さ方向にのび、第１の側部から第２の側部にかけて横方向にのび、上面から底面にかけ厚さをもっている。第１のセットのヒンジアイが第１の端部にそって横方向に間隔をおいてならんでおり；第２のセットが第２の端部にそってならんでいる。上面は、平らな面になっている。横方向に間隔をおいた長さ方向の複数のリブが前記平らな面の外側に出ている。前記複数のリブは、横方向において第１と第２の側壁から隔たっている。各リブは、第１の側壁から第２の側壁にかけ、前記リブを介してのびている長さ方向に間隔をおいた刻み目により特徴づけられている。
【０００６】
別の実施例においては、コンベヤベルトモジュールは、モジュール本体を備え、この本体は、第１の端部から第２の端部にかけて長さ方向にのび、第１の側縁から第２の側縁にかけて横方向にのび、上面から底面にかけ厚さをもっている。前記モジュラー本体は、第１の端部において横方向に離れて位置する第１のセットのヒンジアイと第２の端部において横方向に離れて位置する第２のセットのヒンジアイとを含んでいる。複数の歯が前記上面に突き出ている。各歯は、列になった連続の歯を構成し、連続した歯は、長さ方向において刻み目で分けられている。
【０００７】
この発明のまた別の実施例においては、コンベヤベルトモジュールは、モジュール本体を備え、この本体は、第１の端部から第２の端部にかけて長さ方向にのび、第１の側縁から第２の側縁にかけて横方向にのび、上面から底面にかけ厚さをもっている。第１のセットのヒンジアイが第１の端部にそって横方向に間隔をおいて配置され；第２のセットのヒンジアイが第２の端部にそって横方向に間隔をおいて配置されている。上面は、平らな面をもつ。横方向に離れた長さ方向の複数のリブは、中実で長方形になった基部をもち、この基部は、前記平らな面から外方へ出ている。前記基部の上部のギザギザした上部畝部構造が搬送品を支持する。
【０００８】
この発明の別のアスペクトにおいては、変形された例のいくつかのベルトモジュールが側端と側端、端部と端部とが連結されて一連の連続したベルトモジュールの列になり、これらベルトモジュールは、ベルトモジュールの連続した列の整列したヒンジアイに形成された横方向の通路で受けられているヒンジロッドにより相互に連結されている。
【発明の効果】
【０００９】
モジュラー・プラスチック・コンベヤベルトは、横方向に並んでいる複数のリブの間の長くなっているスロットにより搬送プレートのフィンガーがはいりこむようになって、前記ベルトに沿って品物を円滑に搬送し、排出するようになっている。そのリブは、ギザギザになったリブの構造としては、複数の歯が並んでいるもの、切頭ピラミッド形状のもの又は円錐形のもの、コルゲート構造のもの及び波形ビードのものが含まれていて、これらの上で品物が支持され、湿った状況下にあってもほとんど滑らないようになっている。
【発明を実施するための最良の形態】
【００１０】
「簡単な図面の説明」
この発明の特徴とアスペクツならびに利点は、説明と添付の請求の範囲及び添付の図面を参照することで、さらによく理解されるもので、図面において；
図１、はこの発明の特徴を構成するベルトモジュールで作られたモジュラーコンベヤベルトの一部の斜視図である。
図２は、図１のベルトに使用可能な内部ベルトモジュールの斜視図である。
図３は、図２のモジュールの正面図である。
図４は、フィンガー搬送プレートにより係合される請求項１におけるようなコンベヤベルトの一部の斜視図である。
図５は、図１におけるようなベルトに使用可能なリブつきモジュールの別の実施例の一部のものの見取図である。
図６は、図１におけるようなベルトに使用可能なリブつきモジュールの別の実施例の一部のものの見取図であって、各リブの畝部を形成する一対の歯の列を含む、この発明の特徴を構成するものである。
図７は、図１におけるようなベルトに使用可能なリブつきモジュールの別の実施例の一部のものの見取図であって、前記リブの畝部を形成する切頭円錐体の長くなっている列を含む、この発明の特徴を構成するものである。
図８は、図１におけるようなベルトに使用可能なリブつきモジュールの別の実施例の一部のものの見取図であって、前記リブの畝部を形成する波形状のビードを含む、この発明の特徴を構成するものである。
【００１１】
この発明の特徴を構成するコンベヤベルトの位置部を図１に示す。コンベヤベルト１０は、列において並んでいるベルトモジュールのシリーズになっている列１２，１２’から構成されている。これらのモジュールは、短くなっている左側部モジュール１４、長くなっている左側部モジュール１４’、短くなっている右側部モジュール１５、長くなっている右側部モジュール１５’及び中間モジュール１６を含んでいる。これらのモジュールは、煉瓦積みの態様で組みつけられていることが好ましく、すべての偶数の列１２は、互いに同一であり、すべての奇数の列１２’は、互いに同一である。各モジュール１４，１５，１６は、第１の先頭部２０から第２の後尾２１にかけ長さ方向、即ち、ベルト進行方向１８に向いている。ベルトモジュールの引かれる列の引く側のヒンジアイが引く側のベルト列の引かれる側のヒンジアイに重なり合っている。連続した列の間の重なり合ったヒンジアイにおける開口２４が正合しあって前記ベルトの幅方向にそう横方向の通路になる。この通路で受けられるヒンジロッド２６で連続した列をヒンジ結合部２８で連結し、この結合部で前記ベルトは関節運動して駆動スプロケット又は遊びスプロケットに巻きつくか、又は後へ反って戻り路におけるシューズ又はローラー類に支えられる。側部モジュール１４，１４’，１５，１５’には、側端部３０，３０’が含まれ、これらには、プラグ又はロッド保持具のための凹部３２が含まれていて、これでヒンジロッドが前記ベルト内に納められるようになっている。この例における側端部３０，３０’は、前記ベルトの隆起部分をもつ内部部分とは異なり概ねスムーズで、上面が平になっている。平らな上面部分は、前記ベルトを支持するシューズ又はローラー類に対し円滑に係合し、前記ベルトの戻り路における垂れ下がりをなくし、搬送路にそってのコンベヤ構造体が前記ベルトの側端部と同じ高さになり、前記隆起構造部と肩を並べるようになるようにしている。
【００１２】
前記複数のモジュールは、ポリプロピレン、ポリエチレン、アセタール又は補強繊維類を含む複合素材のような熱可塑性素材で射出成形プロセスにより作られていることが好ましい。前記ヒンジロッドは、ステンレススチール又は成形又は押し出しプラスチック素材で作られている。図示のモジュールの基本的構造は、アメリカ合衆国ルイジアナ、ハラハン在のＩｎｔｒａｌｏｘ  Ｌ．Ｌ．Ｃ．により製造、市販されているＳｅｒｉｅｓ  １２００モジュラープラスチックベルトのものと類似している。
【００１３】
図２と図３に示された内部モジュール１６は、前記ベルトの滑らない上面を詳細に図解している。このモジュール本体は、長さ方向においては第１の端部２０から第２の端部２１にかけてのび、横方向においては第１の側端部３２から第２の側端部３３にかけてのびている。前記モジュール本体は、厚さ方向において底部３４から上部３５にわたっている。この上部は、ほぼ平らな面３６を特徴とするもので。この面から長さ方向に列状にならんだ歯の列４０の形をした複数のリブ３８が前記面から突き出ている。この例では、各列には、切頭形の矩形のピライミッド形状の歯が６個づつ含まれていて、前記歯の矩形の上面４２は、前記歯の基部４４よりも小さな領域になっている。前記歯は、前記複数のリブの頂上にきめがあらい上部リブ構造を形成する。前記歯の基部は、長い矩形のペデスタル又はリブ基部４６に着座しているか又は前記モジュールの平らな面に直かに設けられている。前記リブ基部は、中実のもので、空隙をもたないものになっている。前記複数の歯は、横方向に分かれた対向の側壁４７，４７’をもち、厚さ４８をきめている。前記側壁に垂直に前壁４９と後壁４９’がある。前記モジュールの成形を簡単にするために、前記壁にはテーパーがつけてあり、前記複数の歯は、上部が基部寄りも細くなっている。Ｖ又はＵ形状の刻み目５０が前記リブを経て前記側壁から前記側壁にかけて設けられ、歯の構造になるようになっている。これらの刻み目は、各リブにおいて長さ方向に沿って、ほぼ等間隔をおいて位置し、上面領域に合わせて６個の歯又はそれより多いか少ないかのものになっている。図２に示した刻み目の頂点５３は、前記モジュールの平らな上面に達していないが、前記平らな面には達している。この例においては、横方向に連続したリブの刻み目は、ほぼ長さ方向に整列して、前記ベルトの幅方向に整列した刻み目を介して横方向に直線の素通しの線５１になっている。しかしながら、前記刻み目は、長さ方向には千鳥状に互い違いになっており、そのような素通しの線にはならない。
【００１４】
図示の好ましい態様においては、先頭のヒンジアイ２２と後尾のヒンジアイ２２’は、互いに横方向にずれている。列状の歯は、各ヒンジアイに関連している。このようにして。ヒンジアイの合計の数は、リブの数に合っている。各ヒンジアイの内側上部５２は、前記モジュール本体の平らな上面とほぼ面一であって、単なるその延長部になっている。各列の歯の一つは、関連したヒンジアイの上部にさしかかっている。これによって、図１の前記ベルトのヒンジ連結の歯のパターンにおける間隙をより均一にし、なくすようにしている。連続したリブは、関連したヒンジアイに向けてののびにより互いに長さ方向にずれている。
【００１５】
図３と図４に最良に図示するように、前記複数のリブは、長くなっている複数のスロット５４をおいて横方向に離れて位置している。各スロットは、フィンガー搬送プレート６１のフィンガー６０に適合するのに十分な幅をもっている。前記搬送プレートのフロントリップ６２は、前記複数の歯の上部支持面４２とほぼ同じレベルか又はもっと通常にそれ以上のレベル位置になっていて、物品を前記コンベヤベルトから取り除いたり、人手により排出する必要がなくなる。図２に示すように、前記スロットの幅寸法又は横寸法は、歯から歯への刻み目の長さ方向寸法よりも長いことが好ましい。
【００１６】
ベルトモジュールの他の例を図５に示す。モジュール６４は、各リブの基部の上のギザギザした上面畝部構造が連続した頂部６６と谷部又は刻み目６７になっている点で前記の例のものと相違し、これらは、前記リブにそって波形又は三角歯を形成している。前記頂部の軸６８と谷部とは、前記モジュールの長さ方向に対し傾斜している。この例では、横方向に互い違いになった状態でリブ６９，６９’が長さ方向にそって互いにミラーイメージに配置されている。
【００１７】
複数のリブの上部がギザギザになっているすべり止め構造のモジュールの他の例を図７に示す。モジュール８０は、スロット８４を介して横方向に隔てられている平行な列のリブ８２を有している。各リブは、長くなっている基部８６を含み、該基部の上面には、平らな上面８９をもつ切頭形のコーン８８の形をした一連の突起が設けてあり、これらによって品物を支持して表面が滑らないようにしてある。
【００１８】
さらにまた、図１に示したすべらないコンベヤベルトに使用できるモジュールの例を図８に示す。他の例と同じように、モジュール９０は、複数の長いリブ９２を有し、これらは、搬送プレートのフィンガー類に適合するスロットを介して横方向に隔てられている。各リブは、長さが長い基部９４を有し、この基部は、モジュール本体のフラットな面９６から立ち上がっている。波状のビード９８がリブのほぼ長さ方向にそって設けられ、該リブの上部畝部を形成している。前記ビードの波形パターンが有効な滑り止めパターンをつくっている。
【００１９】
品物を搬送するのにしばしば用いられる連続した幅広の上面が平らなリブとは異なり、歯つきリブ及びその他のギザギザ上面側のリブ構造の一般的な均一のパターンによりしめった環境で上下している傾斜がある状態で特に有効な表面がすべらない状態のものが得られる。前記歯の間の刻み目、前記複数のリブの畝部における構造の他の変形及び複数の列の間の複数のスロットにより、前記リブの上部で前記ベルトから品物が自由にすべってしまわないようにする間隙が得られる。そして、隆起したリブ構造によって湿った環境において、水が溜まったり、搬送品がすべる路を作ってしまうようなほぼ連続の搬送面になってしまう前記ベルトが遭遇する問題を除くことができる。
【００２０】
このように、この発明を好ましい実施例について示したが、他の実施例可能である。例えば、各列に６個の歯以上の歯をもつ長くなったベルトモジュールを作ることができる。また別の実施例としては、前記ベルトの平らな上面に複数の孔をあけ、そこから排水するようにしてもよい。このように、これらの僅かな実施例が示すように、請求の範囲の範囲と精神とは、詳細に記載の好ましい実施例に限定されることを意味するものではない。
【図面の簡単な説明】
【００２１】
【図１】この発明の特徴を構成するベルトモジュールで作られたモジュラーコンベヤベルトの一部の斜視図。
【図２】図１のベルトに使用可能な内部ベルトモジュールの斜視図。
【図３】図２のモジュールの正面図。
【図４】フィンガー搬送プレートにより係合される第１実施態様におけるようなコンベヤベルトの一部の斜視図。
【図５】図１におけるようなベルトに使用可能なリブつきモジュールの別の実施例の一部のものの見取図。
【図６】図１におけるようなベルトに使用可能なリブつきモジュールの別の実施例の一部のものの見取図であって、各リブの畝部を形成する一対の歯の列を含む、この発明の特徴を構成するもの。
【図７】図１におけるようなベルトに使用可能なリブつきモジュールの別の実施例の一部のものの見取図であって、前記リブの畝部を形成する切頭円錐体の長くなっている列を含む、この発明の特徴を構成するもの。
【図８】図１におけるようなベルトに使用可能なリブつきモジュールの別の実施例の一部のものの見取図であって、前記リブの畝部を形成する波形状のビードを含む、この発明の特徴を構成するもの。
【符号の説明】
【００２２】
１０              コンベアベルト
１２、１２’      列
１４、１４’      左側モジュール
１５、１５’      右側モジュール
１６              中間（内部）モジュール
１８              ベルト進行方向
２０              第１の先頭
２１              第２の後尾
２２              先頭のヒンジアイ
２２’            後尾のヒンジアイ
２４              ヒンジアイの開口
２６              ヒンジロッド
２８              ヒンジ結合部
３０、３０’      側端部
３２              凹部
【図１】
2006111449.tif 000003
【図２】
2006111449.tif 000004
【図３】
2006111449.tif 000005
【図４】
2006111449.tif 000006
【図５】
2006111449.tif 000007
【図６】
2006111449.tif 000008
【図７】
2006111449.tif 000009
【図８】
2006111449.tif 000010
【外国語明細書】
2006111449.tif 000011
2006111449.tif 000012
2006111449.tif 000013
2006111449.tif 000014
2006111449.tif 000015
2006111449.tif 000016
2006111449.tif 000017
2006111449.tif 000018
2006111449.tif 000019
2006111449.tif 000020
2006111449.tif 000021
2006111449.tif 000022
2006111449.tif 000023
2006111449.tif 000024
2006111449.tif 000025
2006111449.tif 000026
2006111449.tif 000027
2006111449.tif 000028
2006111449.tif 000029
2006111449.tif 000030